(57)【要約】      （修正有）【課題】設置場所が傾斜面や凹凸面でも略水平に安定して設置可能とし、且つコンロ本体の高さを自由に変更することができ、しかも火力調整のための網テーブルの高さ調整がコンロ本体構造を変更することなく容易に行えるバーベキュー用コンロを提供する。【解決手段】コンロ本体１と複数の脚部２からなるバーベキュー用コンロにおいて、複数の脚部それぞれに対しコンロ本体を任意の高さ位置で係止固定させるための脚部調整機構Ｑと、コンロ本体の上部開口縁に脱着可能に差し込まれ、網テーブル３を任意の高さ位置に支持させる支持機構Ｐとを具備する。脚部調整機構は、コンロ本体の側壁に固定された中央支持板１１に対し、脚部の挿通孔１５が形成されたフランジを上下に備えた略コ字枠状のブラケット１４と、上下方向に揺動自在で脚部の外径よりも若干大きな挿通孔が形成された係止レバー１７と、係止レバーと下部フランジ１３との間に介装させた発条体１８と、を備える。【選択図】図２
0003191607.tif 000002
【実用新案登録請求の範囲】
【請求項１】
コンロ本体と複数の脚部からなるバーベキュー用コンロにおいて、前記複数の脚部それぞれに対し前記コンロ本体を任意の高さ位置で係止固定させるよう当該コンロ本体に各脚部に対応した脚部調整機構を備えたことを特徴とするバーベキュー用コンロ。
【請求項２】
脚部調整機構は、前記コンロ本体の側壁表面に固定された中央支持板に対し、ロッド状の脚部を挿通させる挿通孔が各形成された上部フランジ及び下部フランジを上下に備えて成る略コ字枠状のブラケットと、前記上下部フランジ相互間における前記中央支持板の外面で上下方向に揺動自在となして付設され且つ前記脚部の外径よりも若干大きな挿通孔が形成されてなる係止レバーと、該係止レバーと下部フランジとの間に介装させた発条体と、を備えて成る請求項１記載のバーベキュー用コンロ。
【請求項３】
コンロ本体は、その上部開口縁に脱着可能に差し込まれ、網テーブルを任意の高さ位置に支持させる支持機構を具備させて成る請求項１または２記載のバーベキュー用コンロ。
【請求項４】
支持機構は、下部側がコンロ本体の上部開口縁から内面に沿って挿入配置され、上部側には網テーブルを載せるための水平な載置部を備え且つ当該載置部の上面には前記網テーブルの網目に挿入される突起を有して成る略Ｌ字枠状の起立片と、該起立片の前記下部側の長手方向に沿って所定間隔ごとに設けられた複数のネジ孔のうちのいずれかに蝶ネジのねじ込みによって上端部が固定され、コンロ本体の外面に下端部が圧接保持されて成る保持片と、を備えて成る請求項３記載のバーベキュー用コンロ。
【請求項５】
支持機構は、コンロ本体の開口上縁部より起立方向に揺動可能となって配置され、且つコンロ本体の開口上縁部に形成された係止溝に当該支持機構を所定の傾斜角度で係止することで網テーブルを任意の高さ位置に支持させるものとして成る請求項１または２記載のバーベキュー用コンロ。
【請求項６】
支持機構は、ロッドを略逆Ｕ字状もしくは略コ字状に折曲することで中央支持部と左右脚部とから成り、左右脚部の各下端部に形成された両支持アーム部がコンロ本体の側面に開けられた支持孔に各挿入され、一方の支持アーム部の端部には、支持機構を手で揺動操作するためのハンドル部が設けられ、他方の支持アーム部側の脚部の上端は中央支持部の高さ位置よりも上方に突出して、網テーブルの網目に挿入させる突起部となっている請求項５記載のバーベキュー用コンロ。
【請求項７】
網テーブル上には、串材を任意の高さで掛架保持せておくための保持枠部材を具備して成る請求項３乃至６のいずれか記載のバーベキュー用コンロ。
【考案の詳細な説明】
【技術分野】
【０００１】
本考案は、例えば屋外ガーデンや野外キャンプ地等で各種の食材を焼くために使用されるスタンドタイプのバーベキュー用コンロに関する。
【背景技術】
【０００２】
従来、この種のバーベキュー用コンロとしては、例えば特許文献１に開示されているように、上方が開口した受皿が枠体内方に収容可能とされるよう、受皿の開口端に形成された庇状の係止部が、枠体に形成された保持部に係止できるように構成され、また脚部は、基脚及び下脚により構成され、枠体と着脱自在とされており、基脚と下脚並びに脚部と枠体を連結する部材として蝶ネジを使って連結・分解可能とされて成る組立式バーベキュー用コンロが提案されている。
【０００３】
また、特許文献２に開示されているように、コンロ本体が、金属パイプにより略逆Ｕ字状に曲成された脚部に支えられ、焼き網が、コンロ本体に備えた収納胴体の上端開口部に着脱可能に装着されており、前記脚部には、同一高さ位置に四組の蝶ナットおよび締付ボルトを当該脚部の軸直角方向の止め部材として取付けられて成るバーベキュー用コンロ装置も提案されている。
【０００４】
さらに、特許文献３に開示されているように、火床部を内設し且つ周壁適宜位置に空気孔を設けた箱状本体に脚を備え、該箱状本体の上部に食品の加熱調理が行えるよう調理部を配置し、さらに調理部には、箱状本体周壁に沿う支持脚部を垂設し、該支持脚部と周壁との間に、調理部の上下方向へのスライド移動のためのガイド機構及び調理部の高さ位置設定を行う係止機構を設けてなるバーベキュー用コンロも提案されている。
【先行技術文献】
【特許文献】
【０００５】
【特許文献１】特開２０３３−２２５１６９号公報
【特許文献２】特開２００６−５５４３６号公報
【特許文献３】特開２０１０−２１７７号公報
【考案の概要】
【考案が解決しようとする課題】
【０００６】
しかしながら、上記した特許文献１による構成では、蝶ネジによって基脚に対する下脚の引き出し長さ調整が可能とされているが、基脚自体の長さ寸法はかなり長いため、例えば利用者が座って調理するときなどの際には、当該基脚の長さ以下に高さ調整することは困難である。また、元より基脚の長さを短くした場合では、下脚の最大引き出し長さはせいぜい基脚の長さ程度に限定されてしまうため、例えば利用者が立ったまま調理するときの場合には不便である。
【０００７】
しかも、特許文献１による構成では、受皿が所定高さの枠体内で垂下された状態とされているため、調理時の火力調整のための高さ調整ができない構成となっている。
【０００８】
また、上記した特許文献２による構成では、コンロ本体を支えている略逆Ｕ字状に曲成された脚部は、高さ調整ができない構成となっていることから、設置場所が傾斜面や凹凸面であった場合には、コンロ本体自体を略水平となるように安定して設置させることは不可能である。
【０００９】
しかも、特許文献２による構成では、焼き網が、コンロ本体に備えた収納胴体の上端開口部に焼き網が装着されているだけであるので、調理時の火力調整のための高さ調整ができない構成となっている。
【００１０】
さらに、上記した特許文献３による構成では、箱状本体に備えている脚は高さ調整ができない構成となっていることから、設置場所が傾斜面や凹凸面であった場合には、コンロ本体自体を略水平となるように安定して設置させることは不可能である。
【００１１】
しかも、特許文献３による構成では、調理部の上下方向へのスライド移動のためのガイド機構及び調理部の高さ位置設定を行う係止機構を形成するには、傾斜ガイド孔を箱状本体周壁側に穿設したり、箱状本体の周壁側にガイド枠を設けたりするなど、箱状本体に対し煩雑な機構を付与すべく構造自体の変更を余儀なくされる。
【００１２】
そこで、本考案は叙上のような従来存した諸事情に鑑み創出されたもので、設置場所が傾斜面や凹凸面であってもコンロ本体自体を略水平となるように安定して設置可能とし、且つ利用者の立ち姿勢による調理であっても座り姿勢による調理であってもこれに十分に対応できるようコンロ本体の高さを自由に変更することができ、しかも調理時の火力調整のための網テーブルの高さ調整がコンロ本体自体の構造を何等変更することなく容易に行えるようにしたバーベキュー用コンロを提供することを目的とする。
【課題を解決するための手段】
【００１３】
上述した課題を解決するために、本考案にあっては、コンロ本体と複数の脚部からなるバーベキュー用コンロにおいて、前記複数の脚部それぞれに対し前記コンロ本体を任意の高さ位置で係止固定させるよう当該コンロ本体に各脚部に対応した脚部調整機構を備えたことを特徴とする。
【００１４】
脚部調整機構は、前記コンロ本体の側壁表面に固定された中央支持板に対し、ロッド状の脚部を挿通させる挿通孔が各形成された上部フランジ及び下部フランジを上下に備えて成る略コ字枠状のブラケットと、前記上下部フランジ相互間における前記中央支持板の外面で上下方向に揺動自在となして付設され且つ前記脚部の外径よりも若干大きな挿通孔が形成されてなる係止レバーと、該係止レバーと下部フランジとの間に介装させた発条体と、を備えて成る。
【００１５】
コンロ本体は、その上部開口縁に脱着可能に差し込まれ、網テーブルを任意の高さ位置に支持させる支持機構を具備させて成る。
【００１６】
支持機構は、下部側がコンロ本体の上部開口縁から内面に沿って挿入配置され、上部側には網テーブルを載せるための水平な載置部を備え且つ当該載置部の上面には前記網テーブルの網目に挿入される突起を有して成る略Ｌ字枠状の起立片と、該起立片の前記下部側の長手方向に沿って所定間隔ごとに設けられた複数のネジ孔のうちのいずれかに蝶ネジのねじ込みによって上端部が固定され、コンロ本体の外面に下端部が圧接保持されて成る保持片と、を備えて成る。
【００１７】
支持機構は、コンロ本体の開口上縁部より起立方向に揺動可能となって配置され、且つコンロ本体の開口上縁部に形成された係止溝に当該支持機構を所定の傾斜角度で係止することで網テーブルを任意の高さ位置に支持させるものとして成る。
【００１８】
支持機構は、ロッドを略逆Ｕ字状もしくは略コ字状に折曲することで中央支持部と左右脚部とから成り、左右脚部の各下端部に形成された両支持アーム部がコンロ本体の側面に開けられた支持孔に各挿入され、一方の支持アーム部の端部には、支持機構を手で揺動操作するためのハンドル部が設けられ、他方の支持アーム部側の脚部の上端は中央支持部の高さ位置よりも上方に突出して、網テーブルの網目に挿入させる突起部となっている。
【００１９】
網テーブル上には、串材を任意の高さで掛架保持せておくための保持枠部材を具備して成る。
【考案の効果】
【００２０】
本考案によれば、設置場所が傾斜面や凹凸面であってもコンロ本体自体を略水平となるように安定して設置可能とし、且つ利用者の立ち姿勢による調理であっても座り姿勢による調理であってもこれに十分に対応できるようコンロ本体の高さを自由に変更することができ、しかも調理時の火力調整のための網テーブルの高さ調整がコンロ本体自体の構造を何等変更することなく容易に行える。
【００２１】
すなわち本考案では、複数の脚部それぞれに対し前記コンロ本体を任意の高さ位置で係止固定させるよう当該コンロ本体に各脚部に対応した脚部調整機構を備えているので、設置場所が傾斜面や凹凸面であっても、各脚部をそれぞれの脚部調整機構によって個別に調整することで、コンロ本体自体を略水平となるように安定して設置可能となる。また、利用者の立ち姿勢による調理であっても座り姿勢による調理であっても、各脚部それぞれの脚部調整機構によって十分に対応させることができる。
【００２２】
脚部調整機構は、前記コンロ本体の側壁表面に固定された中央支持板に対し、ロッド状の脚部を挿通させる挿通孔が各形成された上部フランジ及び下部フランジを上下に備えて成る略コ字枠状のブラケットと、前記上下部フランジ相互間における前記中央支持板の外面で上下方向に揺動自在に枢着され且つ前記脚部の外径よりも若干大きな挿通孔が形成されてなる係止レバーと、該係止レバーと下部フランジとの間に介装させたバネ部材と、を備えて成るので、バネ部材の弾発力によって係止レバーが上方に揺動された状態では、当該係止レバーの挿通孔の傾向によって脚部が保持されることでコンロ本体を確実に係止固定させることができる。また、バネ部材の弾発力に抗して係止レバーを押下させた状態では、係止レバーの挿通孔は水平となることによって脚部が解放され、コンロ本体を確実に任意の高さに移動させることができる。而して、複数の脚部それぞれの高さ調整がワンタッチで迅速に行うことができる。
【００２３】
コンロ本体は、その上部開口縁に脱着可能に差し込まれ、網テーブルを任意の高さ位置に支持させる支持機構を具備させて成るので、調理時の火力調整のための網テーブルの高さ調整がコンロ本体自体の構造を何等変更することなく容易に行える。
【００２４】
支持機構は、下部側がコンロ本体の上部開口縁から内面に沿って挿入配置され、上部側には網テーブルを載せるための水平な載置部を備え且つ当該載置部の上面には前記網テーブルの網目に挿入される突起を有して成る略Ｌ字枠状の起立片と、該起立片の前記下部側の長手方向に沿って所定間隔ごとに設けられた複数のネジ孔のうちのいずれかに蝶ネジのねじ込みによって上端部が固定され、コンロ本体の外面に下端部が圧接保持されて成る保持片と、を備えて成るので、起立片下部側の適宜選択されたネジ孔に蝶ネジを介して保持片を固定させることができ、コンロ本体自体の構造を何等変更することなく網テーブルの高さ調整が上記支持機構によって容易に行える。
【００２５】
支持機構は、コンロ本体の開口上縁部より起立方向に揺動可能となって配置され、且つコンロ本体の開口上縁部に形成された係止溝に当該支持機構を所定の傾斜角度で係止することで網テーブルを任意の高さ位置に支持させるものとして成るので、調理時の火力調整のための網テーブルの高さ調整がコンロ本体自体の構造を何等変更することなく、支持機構の傾斜角度を変更させるだけで容易に行える。
【００２６】
支持機構は、ロッドを略逆Ｕ字状もしくは略コ字状に折曲することで中央支持部と左右脚部とから成り、左右脚部の各下端部に形成された両支持アーム部がコンロ本体の側面に開けられた支持孔に各挿入され、一方の支持アーム部の端部には、支持機構を手で揺動操作するためのハンドル部が設けられ、他方の支持アーム部側の脚部の上端は中央支持部の高さ位置よりも上方に突出して、網テーブルの網目に挿入させる突起部となっているので、ハンドル部の手動操作によって支持機構の傾斜角度を変更させることで、網テーブルの高さ調整が容易に行える。
【００２７】
網テーブル上には、串材を任意の高さで掛架保持せておくための保持枠部材を具備して成るので、前記支持機構による網テーブルの高さ調整に加えて、調理時の更なる火力調整が容易に行える。
【図面の簡単な説明】
【００２８】
【図１】本考案を実施するための一形態におけるバーベキュー用コンロを示す斜視図である。
【図２】同じくバーベキュー用コンロを斜上側から視た斜視図である。
【図３】支持機構のコンロ本体への取付例を示し、（ａ）は支持機構の取付前の状態の断面図、（ｂ）は支持機構の取付後において網テーブルを載せた状態の断面図である。
【図４】バーベキュー用コンロの網テーブル上に、串材を水平に掛架せるための保持枠部材を載置した状態を示す斜視図である。
【図５】バーベキュー用コンロの網テーブル上に、串材を斜めに掛架せるための保持枠部材を載置した状態を示す斜視図である。
【図６】保持枠部材を網テーブル上に固定した状態を示す斜視図である。
【図７】支持機構の他例を示す一部省略の斜視図である。
【図８】同じく支持機構の他例において網テーブルを載せた状態の一部省略の斜視図である。
【図９】同じく支持機構の他例において当該支持機構をコンロ本体の左右対称位置に各設けてそれぞれ個別に網テーブルを載せた状態の斜視図である。
【図１０】脚部調整機構によるコンロ本体の高さ調整を行うために脚部を上方に移動させている状態を示す斜視図である。
【図１１】脚部調整機構によりコンロ本体を各脚部の下側に配置させた状態の斜視図である。
【図１２】脚部調整機構の使用時の動作の一例を示し、（ａ）は係止レバーを押下させる前の状態の断面図、（ｂ）は係止レバーを押下させてコンロ本体のブラケットに対し脚部を移動させている状態の断面図である。
【考案を実施するための形態】
【００２９】
以下、図面を参照して本考案の実施の一形態を詳細に説明する。
【００３０】
本考案に係るバーベキュー用コンロは、図１及び図２に示すように、内部に例えば備長炭等の火力燃料を収容する長方形板状のロストル８を敷設し且つ相対向する外側面に複数の吸気孔１ａを形成し、さらに相対向する他の外側面に取っ手１ｂを備えたコンロ本体１と、該コンロ本体１を所定の場所で任意の高さに支持させておくための４本のロッド状の脚部２とから概ね構成されている。なお、コンロ本体１自体の高さは例えば約１５ｃｍであり、コンロ本体１を構成する前後左右壁及び底壁の各厚さは例えば約３．２ｍｍに構成されている。また、ロストル８は、その長辺部分が折り曲げられており、これにより、備長炭等の火力燃料によって焼かれたときにロストル本体が曲がらないようにされている。
【００３１】
コンロ本体１の上部開口縁の例えば左右側壁面の前後対称位置もしくは前後側壁面の左右対称位置の、合計４箇所には、網テーブル３を当該上部開口縁から任意の高さ位置に支持させておくための支持機構Ｐが脱着可能に差し込まれ、またコンロ本体１の側壁表面には、前記４本の脚部２に対応した個別の脚部調整機構Ｑを備えている。
【００３２】
脚部調整機構Ｑは、脚部２に対するコンロ本体１の高さ範囲が約７０ｃｍ程度まで自在に調整でき、利用者の立ち姿勢による調理であっても座り姿勢による調理であってもこれに十分に対応できるようにしてある。
【００３３】
また、この脚部調整機構Ｑは、コンロ本体１に対し、４本の脚部２を個別に上下移動できることから、設置場所が傾斜面や凹凸面であってもコンロ本体１自体を略水平となるように安定して設置可能となるようにしてある。
【００３４】
さらに、図４に示すように、網テーブル３の上には、コンロ本体１の上部開口面積よりも小さい角筒状となった保持枠部材４が載置可能となっており、当該保持枠部材４の相対向する上部開口縁には、バーベキュー用の串材Ｒを掛架保持せておくための溝部５が形成されている。この保持枠部材４は、上記支持機構Ｐによる網テーブル３の高さ調整に加えて、調理時の更なる火力調整を行うために使用される。
【００３５】
あるいは、図５に示すように、網テーブル３の上には、コンロ本体１の上部開口幅よりも小さい一対のアングル状となった保持枠部材６が対向載置可能となっており、当該保持枠部材６の相対向する上部縁には、バーベキュー用の串材Ｒを互いに斜め方向に合掌する所謂タスキ掛状に保持させておくための複数の溝部７が形成されている。また、保持枠部材６の、網テーブル３と接する部分には、溝部７ごとに一対の孔６ａ，６ｂが形成されており（図６参照）、当該一対の孔６ａ，６ｂのいずれかにバーベキュー用の串材Ｒの基端部を挿入して保持することができるようにされている。そして、このように溝部７ごとに一対の孔６ａ，６ｂを形成したことにより、バーベキュー用の串材Ｒを所謂タスキ掛状に保持させたときの当該バーベキュー用の串材Ｒの角度を、肉等の食材の焼け具合に応じて変えることができるようにされている。この場合、バーベキュー用の串材Ｒは、肉等の食材の重みによってしっかりと固定される。この保持枠部材６は、上記支持機構Ｐによる網テーブル３の高さ調整に加えて、調理時の更なる火力調整を行うために使用される。
【００３６】
この保持枠部材６を網テーブル３上に設置する場合には、図６に示すように、保持枠部材６の２個所にＬ字片状の固定部材６ｃの各一端がネジ留め固定され、固定部材６ｃの各他端側が網テーブル３の網目に着脱自在となって差し込まれることで網テーブル３上に固定支持されるものとしている。
【００３７】
なお、固定部材６ｃの各他端側を網テーブル３の網目に着脱自在となって差し込まれるものとする代わりに、固定部材６ｃの各他端側が当初から網テーブル３上に溶接等で固定されていて、必要に応じて後から保持枠部材６の２個所を固定部材６ｃの各一端にネジ留め固定するようにしても良い。
【００３８】
脚部調整機構Ｑは、図１、図２に示すように、コンロ本体１の例えば左右側壁面の前後対称位置もしくは前後側壁面の左右対称位置の、合計４箇所に付設されている。すなわち、脚部調整機構Ｑは、縦長の中央支持板１１を介して、長手方向上端側に上部フランジ１２が形成され且つ長手方向下端側に下部フランジ１３が形成された略コ字枠状のブラケット１４を備え、前記中央支持板１１が、コンロ本体１の側壁面に付設されている。
【００３９】
そして、前記ブラケット１４の上下両フランジ１２，１３には、ロッド状の脚部２を挿通させるための挿通孔１５が各形成されており、下部フランジ１３を上部フランジ１２よりも若干長くしてあることで、各脚部２は下方に行くに従って互いに外側に広がる（下方に向かって末広がりとなる）ように若干傾斜している。
【００４０】
また、脚部調整機構Ｑは、図１０に示すように、前記ブラケット１４の上下両フランジ１２，１３相互間において、前記中央支持板１１の外面に支持軸１６を介して上下方向に揺動自在に枢着された矩形板状の係止レバー１７を備え、該係止レバー１７には、脚部２の外径よりも若干大きな挿通孔１７ａが形成されている。
【００４１】
この係止レバー１７と下部フランジ１３との間には、その間の脚部２を巻回させるようにして介装させた例えばコイル状のバネ部材１８を備え、下部フランジ１３に対して係止レバー１７を常時上方に揺動付勢させることで、当該係止レバー１７の挿通孔１７ａの傾向によって脚部２が保持されるものとなっている。すなわち、脚部２の外径よりも若干大きな挿通孔１７ａが傾向すると当該挿通孔１７ａに通されている脚部２は挿通孔１７ａの前後対称位置における内周面によって圧接挟持されるものとなり、ブラケット１４に対する脚部２の上下移動が阻止される。
【００４２】
そして、バネ部材１８の弾発力に抗して係止レバー１７を手で押下させる（係止レバー１７と下部フランジ１３とを互いに圧縮させる）と、係止レバー１７の挿通孔１７ａは水平となることによって、脚部２は挿通孔１７ａの前後対称位置における内周面による圧接挟持状態から解放され、ブラケット１４に対する脚部２の上下移動が可能となる。
【００４３】
例えば、図１１に示すように、利用者の座り姿勢による調理の際には、４箇所の脚部調整機構Ｑの各係止レバー１７を押下して、ブラケット１４すなわちコンロ本体１に対して各脚部２を上方に移動させることで、これに十分に対応できるものとなる。
【００４４】
前記支持機構Ｐは、図３に示すように、略Ｌ字枠状の起立片２１の下部側がコンロ本体１の上部開口縁から内面に沿って挿入配置され、上部側は網テーブル３を載せるための水平な載置部２２となっている。なお、載置部２２の上面には網テーブル３の網目に挿入される突起２３を備えることで、網テーブル３自体の脱落を防止できるようにしてある。
【００４５】
また、起立片２１には、下部側の長手方向に沿って所定間隔ごとに複数のネジ孔２４が設けられ、このうちのいずれかのネジ孔２４に、保持片２５の上端部に形成されている１個の取付孔２６を合致させ、当該取付孔２６からネジ孔２４へ蝶ネジ２７をねじ込ませることによって当該保持片２５の上端部が固定されるようにしてある。ここで上端部の固定は、蝶ネジ２７のようなネジではなく、溝がないビスや溶接で固定されてもよい。この保持片２５の下端側は、起立片２１下部側に向けて略くの字形に屈曲もしくは弓なりに湾曲しており、コンロ本体１の外面に当該保持片２５の下端部が圧接保持されるようにしてある。
【００４６】
次に、以上のように構成された脚部調整機構Ｑの使用の一例について説明すると、先ず、図１２（ａ）に示すように、係止レバー１７を手で押下させる前では、バネ部材１８の弾発力によって係止レバー１７が上方に揺動されている状態であり、当該係止レバー１７の挿通孔１７ａの傾向によって脚部２が保持されている。すなわち、この場合、脚部２の外径よりも若干大きな挿通孔１７ａが傾向されており、当該挿通孔１７ａに通されている脚部２は挿通孔１７ａの前後対称位置における内周面によって圧接挟持され、ブラケット１４に対する脚部２の上下移動が阻止された状態となっている。
【００４７】
図１２（ｂ）に示すように、バネ部材１８の弾発力に抗して係止レバー１７を押下させた状態では、係止レバー１７の挿通孔１７ａは水平となることによって脚部２は挿通孔１７ａの前後対称位置における内周面による圧接挟持状態から解放され、ブラケット１４に対する脚部２の上下移動が可能となる。これによって脚部２に対しコンロ本体１を確実に任意の高さに移動させることができる。
【００４８】
ブラケット１４に対し脚部２が所望の位置に移動したときに手から係止レバー１７を放せば、上記したように、挿通孔１７ａに通されている脚部２は当該挿通孔１７ａの前後対称位置における内周面によって再度圧接挟持され、ブラケット１４に対する脚部２の上下移動が阻止された状態となる。
【００４９】
次に、以上のように構成された支持機構Ｐの使用の一例について説明すると、先ず、図３（ａ）に示すように、コンロ本体１の開口上縁部に対して起立片２１上端の載置部２２が所望の高さとなるよう起立片２１下部側の複数のネジ孔２４のうちのいずれかを予め選択しておく。そして、この選択されたネジ孔２４に、保持片２５の上端部に形成されている１個の取付孔２６を合致させ、当該取付孔２６からネジ孔２４へ蝶ネジ２７をねじ込ませることによって当該保持片２５の上端部を起立片２１下部側に固定する。
【００５０】
図３（ｂ）に示すように、起立片２１下部側と保持片２５下端側とによって形成された二股間に、コンロ本体１の開口上縁部を装着することで、保持片２５の下端部はコンロ本体１の外面に圧接保持される。すなわち、起立片２１下部側と保持片２５下端側とによってコンロ本体１の開口上縁部が挟持される。このようにコンロ本体１の上部開口縁の例えば左右側壁面の前後対称位置もしくは前後側壁面の左右対称位置の、合計４箇所に支持機構Ｐが差込固定される。
【００５１】
そして、載置部２２上面の突起２３を網テーブル３の網目に挿入させるようにして、当該載置部２２に網テーブル３を載せる。こうして、網テーブル３はコンロ本体１の上部開口縁から任意の高さ位置で支持されるものとなる。
【００５２】
また、コンロ本体１の上部開口縁からの網テーブル３の高さ位置を変更する場合には、コンロ本体１の開口上縁部から支持機構Ｐを抜脱し、蝶ネジ２７を外して起立片２１と保持片２５とを分解し、コンロ本体１の開口上縁部に対して起立片２１上端の載置部２２が所望の変更高さとなるよう起立片２１下部側の複数のネジ孔２４のうちのいずれかを選択し、以後は上記と同様にして蝶ネジ２７を介して保持片２５の上端部を起立片２１下部側に固定してからコンロ本体１の開口上縁部に装着れば良い。
【００５３】
図７乃至図９には、支持機構Ｐの他例が示されている。すなわち、支持機構Ｐは、図７に示すように、金属製のロッドを略逆Ｕ字状もしくは略コ字状に折曲することで中央支持部３１と左右脚部３２ａ，３２ｂとから成り、左右脚部３２ａ，３２ｂの各下端部には水平な支持アーム部３３ａ，３３ｂが形成され、両支持アーム部３３ａ，３３ｂはコンロ本体１の前後側面に開けられた支持孔３４ａ，３４ｂに各挿入され、支持機構Ｐ自体はコンロ本体１の開口上縁部より上方すなわち起立方向に揺動可能となっている。
【００５４】
また、一方の支持アーム部３３ａの端部には、支持機構Ｐを手で揺動操作するためのＬ字状のハンドル部Ｈが設けられ、他方の支持アーム部３３ｂ側の脚部３２ｂの上端は中央支持部３１の高さ位置よりも上方に突出して、網テーブル３の網目に挿入させる突起部３５となっている（図８参照）。
【００５５】
さらに、コンロ本体１の開口上縁部には、上記一方の支持アーム部３３ａ側の脚部３２ａを所定の傾斜角度保持したまま係止するための例えば２個の係止溝３６ａ，３６ｂが斜め水平方向に形成されている。例えば、ハンドル部Ｈを手で持ちながらコンロ本体１の内側方向に押込むと、一方の支持アーム部３３ａ側の脚部３２ａが係止溝３６ａ，３６ｂのいずれかから離脱されることで支持機構Ｐ自体が揺動可能となる。そして、係止溝３６ａ，３６ｂのいずれかに脚部３２ａが位置した際に、ハンドル部Ｈを引き出せば、当該脚部３２ａが傾斜した係止溝３６ａ，３６ｂの奥部側にスライド導入されて係止される。
【００５６】
この他、例えば、ハンドル部Ｈを手で持ちながらコンロ本体１の内側方向に押込むと中央支持部３１を基点として左右脚部３２ａ，３２ｂが互いに内方に窄められ、一方の支持アーム部３３ａ側の脚部３２ａが係止溝３６ａ，３６ｂのいずれかから離脱されることで支持機構Ｐ自体が揺動可能となるようにしても良い。そして、係止溝３６ａ，３６ｂのいずれかに脚部３２ａが位置した際に、ハンドル部Ｈから手を離せば、中央支持部３１を基点として左右脚部３２ａ，３２ｂが互いに拡開する方向へ弾性復帰して当該脚部３２ａが係止溝３６ａ，３６ｂのいずれかに係止される。この場合、不図示のコイルスプリング等を他方の支持アーム部３３ｂ側に巻装させても良い。
【００５７】
上記構成による支持機構Ｐは、コンロ本体１の開口上縁部において左右一対となって取付けられ、網テーブル３の高さを２段階（網テーブル３の直置きを含めれば３段階）に変えられるようにしてある。この場合、上記した両係止溝３６ａ，３６ｂが左右では互いに逆向の斜め水平方向となって形成される。
【００５８】
また、図９に示すように、大型のコンロ本体１の場合、開口上縁部における右半分と左半分とに、上記左右一対となった支持機構Ｐを各設けることで網置を半分ずつにして使用しても良い。これにより、人数が少ない時には、支持機構Ｐを片方だけを使うことで燃料の無駄を省く、いわゆる省エネタイプとすることができる。
【００５９】
以上、説明したように本実施形態においては、上記構成による個別の脚部調整機構Ｑによってコンロ本体１に対する各脚部２の上下移動を可能としたことから、設置場所が傾斜面や凹凸面であってもコンロ本体１自体を略水平となるように安定して設置可能とし、且つ利用者の立ち姿勢による調理であっても座り姿勢による調理であってもこれに十分に対応させることができる。また、上記構成による支持機構Ｐによって、調理時の火力調整のための網テーブル３の高さ調整がコンロ本体１自体の構造を何等変更することなく容易に行えるものとなる。
【符号の説明】
【００６０】
Ｐ…支持機構
Ｑ…脚部調整機構
Ｒ…串材
Ｈ…ハンドル部
１…コンロ本体
１ａ…吸気孔
１ｂ…取っ手
２…脚部
３…網テーブル
４，６…保持枠部材
６ａ，６ｂ…一対の孔
６ｃ…固定部材
５，７…溝部
８…ロストル
１１…中央支持板
１２…上部フランジ
１３…下部フランジ
１４…ブラケット
１５…挿通孔
１６…支持軸
１７…係止レバー
１７ａ…挿通孔
１８…バネ部材
２１…起立片
２２…載置部
２３…突起
２４…ネジ孔
２５…保持片
２６…取付孔
２７…蝶ネジ
３１…中央支持部
３２ａ，３３ｂ…左右脚部
３３ａ，３３ｂ…両支持アーム部
３４ａ，３４ｂ…支持孔
３５…突起部
３６ａ，３６ｂ…係止溝
【図１】
0003191607.tif 000003
【図２】
0003191607.tif 000004
【図３】
0003191607.tif 000005
【図４】
0003191607.tif 000006
【図５】
0003191607.tif 000007
【図６】
0003191607.tif 000008
【図７】
0003191607.tif 000009
【図８】
0003191607.tif 000010
【図９】
0003191607.tif 000011
【図１０】
0003191607.tif 000012
【図１１】
0003191607.tif 000013
【図１２】
0003191607.tif 000014